(57)【特許請求の範囲】
【請求項１】
ＵＭＴＳメッセージを使用してＩＰ登録及び／又はＩＰロケーション更新に関するＩＰ情報を伝送するステップを特徴とするＵＭＴＳ遠隔通信網及びＩＰ遠隔通信網内のモバイル端末が、自らのロケーションを登録及び／又は更新するための方法。
【請求項２】
ＩＰ登録のためにＩＰ情報を伝送するのに使用されるＵＭＴＳメッセージが、ＵＭＴＳ「登録要求」メッセージ及び／又はＵＭＴＳ「登録完了」メッセージである請求項１に記載の方法。
【請求項３】
ＩＰドメインに関係のある情報フィールドが、「登録要求」メッセージとともに送信される請求項２に記載の方法。
【請求項４】
モバイル端末がＩＰ対応型である場合、「登録要求」メッセージと共に送信することが可能なフィールドが、（１）ホーム・アドレスのタイプ、（２）気付アドレスＣＯＡのタイプ、及び、オプションとして、（３）ホームＩＰアドレスのホーム・アドレス、（４）ホーム・エージェントＨＡアドレスのホーム・アドレス、及び（５）前回使用したＣＯＡのどれかである請求項３に記載の方法。
【請求項５】
ＩＰドメインに関係のある追加の情報フィールドが、「登録完了」メッセージとともに送信される請求項４に記載の方法。
【請求項６】
モバイル端末がＩＰ対応型である場合、「登録完了」メッセージと共に送信することが可能な追加のフィールドが、（１）ホーム・アドレス、（２）ＣＯＡタイプ、及び（３）ＣＯＡを含む請求項５に記載の方法。
【請求項７】
ＵＭＴＳ「ロケーション更新」メッセージ及び／又はＵＭＴＳ「ロケーション更新完了」メッセージを使用してＩＰロケーション更新に関するＩＰ情報を伝送するステップを含む、モバイル端末が自らのロケーションを更新するための方法を含む請求項１に記載の方法。
【請求項８】
ＩＰドメインに関係のある情報フィールドが、「ロケーション更新」メッセージとともに送信される請求項７に記載の方法。
【請求項９】
モバイル端末がＩＰ対応型である場合、「ロケーション更新」メッセージに付加することが可能なフィールドが、（１）ホーム・アドレス、（２）ＣＯＡタイプ、及び（３）ＣＯＡを含む請求項８に記載の方法。
【請求項１０】
追加のフィールドが「ロケーション更新完了」メッセージとともに送信される請求項７乃至９の何れかに記載の方法。
【請求項１１】
モバイル端末がＩＰ対応型である場合、「ロケーション更新完了」メッセージに付加することが可能な追加のフィールドが、（１）ＣＯＡタイプ、及び（２）新しいＣＯＡを含む請求項１０に記載の方法。
【発明の詳細な説明】
【０００１】
（発明の背景）
本発明は、モバイル遠隔通信システムのためユーザ登録およびロケーション管理に関する。詳細には、本発明は、ＩＰ（インターネット・プロトコル）対応端末装置とＩＰベースのネットワークの間で接続を提供するのに使用される際のＵｎｉｖｅｒｓａｌ  Ｍｏｂｉｌｅ  Ｔｅｌｅｃｏｍｍｕｎｉｃａｔｉｏｎ  Ｓｅｒｖｉｃｅ（ＵＭＴＳ）システムに関する。
【０００２】
ＵＭＴＳユーザは、自らのモバイル端末（ＭＴ）にスイッチを入れた際、ＵＭＴＳネットワークに登録される必要がある。同様に、ユーザが、ネットワークによってカバーされるエリア内を移動する際、ユーザがサービスを受けられるようにするため、ロケーション管理手続きが行われる必要がある。
【０００３】
初期登録プロセスは、通常、ネットワーク上で登録を要求すること、ネットワークによるユーザの認証、ユーザの登録、およびホーム・ロケーション・レジスタ（ＨＬＲ）にユーザの現在の所在地を知らせることを含む。このプロセスは、ＵＭＴＳレベルで行われる。
【０００４】
ＩＰ（インターネット・プロトコル）レベルでは、ユーザが、ＩＰ対応端末にスイッチを入れた際に考慮すべき３つのシナリオが存在する。３つのシナリオとは、以下のとおりである。
（１）ユーザが、静的ホームＩＰアドレスを有する。
（２）ユーザが、ＵＭＴＳ事業者からの動的ホームＩＰアドレスを必要とする。（３）ユーザが、ＵＭＴＳドメイン外部のエンティティからの動的ホームＩＰアドレスを必要とする。
【０００５】
どの場合も、ホーム・エージェント（ＨＡ）とのモバイルＩＰ登録、および、場合によると、外部エージェント（ＦＡ）とのモバイルＩＰ登録を行ってからでないと、ユーザは、インターネット・プロトコルを使用するデータ・トランザクションにうまく取りかかることができない。
【０００６】
モバイルＩＰを使用するＵＭＴＳ内におけるデータ（ＩＰ）ユーザの登録に関する現行の解決策は、ＵＭＴＳレベルにおける第１の登録およびＩＰレベルにおける第２の登録という２回の連続する登録の使用を利用する。これを図１に示す。
【０００７】
モバイル端末のユーザが、自らのモバイル端末ＭＴ１にスイッチを入れ、ＵＭＴＳネットワークに登録することを必要とする。ユーザは、無線ネットワーク・コントローラ（ＲＮＣ）３（ＩＰプロトコルのための外部エージェント（ＦＡ）であることも可能である）を通過して訪問ロケーション・レジスタ（ＶＬＲ）４を有するスイッチング・センタに至る登録を要求するメッセージ２を送信する。センタの方は、ユーザが、前回、そこからサービスを受けた以前の訪問ロケーション・レジスタ５が存在すれば、そのレジスタから、またはユーザのホーム・ロケーション・レジスタ（ＨＬＲ）６からユーザ情報を要求する。レジスタ５または６は、ユーザに関する情報を新しいＶＬＲ４に送り返し、次に、認証要求７がモバイル端末１から受信され、応答８がモバイル端末１に送信される。この認証の後、モバイル端末１の登録は完了し、登録完了メッセージ９が、端末に送信される。また、メッセージ１０が、ＨＬＲに送信されて端末の新しいロケーションをＨＬＲに知らせる。
【０００８】
ＩＰ登録も必要とされる場合には、さらなるＩＰ登録ステップも、従来のシステムで行われなければならない。
【０００９】
ＵＭＴＳ登録が完了した後、モバイル端末１は、ＵＭＴＳデータ・チャネル１１をセットアップする。モバイル端末１は、ＦＡルータ請願メッセージ１２を新しいＲＮＣ／ＦＡ３に送信し、ＲＣＮ／ＦＡ３の方は、ＦＡ公示１３をデータ・チャネルを介してモバイル端末に送り返す。次に、モバイル端末は、ＲＮＣ／ＦＡ３を通過して進み、ホーム・エージェント１４に至る登録要求を送信する。次に、ホーム・エージェント１４が、登録応答１５をモバイル端末に送り返し、ＩＰ登録が完了する。ＩＰにおける外部エージェントＦＡは、ＵＭＴＳドメインにおけるＶＬＲ（訪問ロケーション・レジスタ）に相当する。
【００１０】
したがって、まず、ＵＭＴＳ登録、そして次にＩＰ登録という２回の独立した登録プロセスが必要である。
【００１１】
ＵＭＴＳユーザが、ネットワークによってカバーされるエリア内を移動する際、ユーザがサービスを受けられるようにするため、ロケーション管理手続きが行われる必要がある。単一の無線ネットワーク・コントローラ（ＲＮＣ）の下におけるロケーション管理は、ＩＰレベルに影響を及ぼさない。ただし、ＲＮＣ間ロケーション更新には、ＩＰレベルの移動性およびＵＭＴＳ移動性が関与しなければならない。これは、モバイルＩＰ外部エージェント（ＦＡ）とＲＮＣが同じ場所に配置されていると想定されるからである。
【００１２】
従来、従来の登録方法と類似のプロセスが行われてきた。まず、ＵＭＴＳロケーション更新が行われ、次に、独立して、後続のＩＰロケーション更新が行われる。これを図２に示す。
【００１３】
ロケーション更新手続きは、図１の登録更新と原理的に同様であるが、レジスタ更新ではなく、ロケーション更新１６が、ＩＰとＵＭＴＳの両方に関して必要とされることが異なっている。このことを除けば、手続きには、必要に応じて変更を加えた同様のステップが関与する。
【００１４】
ユーザ登録シナリオにおいても、ロケーション管理シナリオにおいても、ＵＭＴＳとＩＰに関する２つの手続きの完全な分離が、無線インターフェースの使用における非効率をもたらし、登録手続きまたはロケーション更新手続き全体に遅延をもたらしている。
【００１５】
本発明は、これらの非効率を減らそうとし、また登録手続き全体またはロケーション更新手続きにかかる時間を短縮しようとしてなされたものである。
【００１６】
（発明の概要）
本発明による第１の態様では、ＵＭＴＳ通知を使用してＩＰサブネットワーク内の変化を示すことを含むＵＴＭＳ遠隔通信網の使用の方法が提供される。
【００１７】
本発明による第２の態様では、ＵＭＴＳ手続きとＩＰ手続きを統合することを含む、ＵＭＴＳ遠隔通信網に関連するモバイル端末が、ＵＭＴＳ登録およびＩＰ登録に関して自らの位置を登録し、かつ／または自らのロケーションを更新するための方法が提供される。
【００１８】
モバイルＩＰ規格が、リンク・レイヤ機構を使用して外部エージェント（ＦＡ）を発見すること、またはサブネットワーク内の変化を検出することを可能にしている。本発明の好ましい実施形態では、したがって、ＵＭＴＳレベルの移動性管理（リンク・レイヤ）が、ＦＡ発見のために使用される。
【００１９】
より具体的には、本方法は、ＦＡ情報を検出するためにＵＭＴＳ「登録要求」メッセージおよび「登録完了」メッセージを使用することを含むのが可能である。
【００２０】
好ましくは、追加の情報フィールドが、「登録要求」メッセージとともに、また「登録完了」メッセージとともに送信される。
【００２１】
「登録要求」メッセージとともに送信するのが可能なフィールドは、（１）ホーム・アドレスのタイプ、（２）ＣＯＡ（気付アドレス）のタイプ、（３）ホームＩＰアドレス、（４）ホーム・エージェント・アドレス、および（５）前回使用したＣＯＡである。
【００２２】
「登録完了」メッセージに関する追加フィールドは、（１）ホーム・アドレス、（２）ＣＯＡタイプ、および（３）ＣＯＡであることが可能である。
ロケーション管理に関するさらなる実施形態では、ＵＭＴＳ「ロケーション更新」メッセージおよび「ロケーション更新完了」メッセージを使用することができる。
【００２３】
好ましくは、追加の情報フィールドが、これらのメッセージのどちらか、または両方で設けられる。「ロケーション更新」メッセージに付加するのが可能なフィールドは、（１）ホーム・アドレス、（２）ＣＯＡタイプ、および（３）ＣＯＡである。
【００２４】
「ロケーション更新完了」メッセージに付加するのが可能な追加フィールドは、（１）タイプおよび（２）ＣＯＡのどちらを含むことも可能である。
以下に、添付の図面を参照して単に例として本発明の実施形態を説明する。
【００２５】
（発明の好ましい実施形態の詳細な説明）
図３を参照すると、本発明の実施形態で、ＦＡ発見のためにＵＭＴＳレベルの移動性管理（リンク・レイヤ）を使用することができる。したがって、ＵＭＴＳ「登録要求」メッセージおよびＵＭＴＳ「登録完了」メッセージが、モバイル端末のためにＦＡ気付アドレス（ＣＯＡ）を発見するため、または同じ場所に位置するＣＯＡを入手するために使用される。したがって、図では、モバイル端末１は、ネットワークに登録する必要があるとき、様々なＩＰ関連フィールドの追加で変更した登録要求メッセージ３０を送出する。
【００２６】
これらのフィールドは、以下のとおりである。
（１）ホーム・アドレスのタイプ
（２）ＣＯＡのタイプ
（３）ホームＩＰアドレス（オプション）
（４）ホーム・エージェント・アドレス（オプション）
（５）前回使用したＣＯＡ（オプション）
モバイル端末１が、ＩＰ対応型ではない場合には、追加のフィールドは使用されないことに留意されたい。
【００２７】
より詳細には、フィールドは、以下のとおりである。
（１）タイプ：このフィールドは、モバイル端末１が、静的アドレスを有しているか、またはＵＭＴＳ事業者からの動的アドレスを必要とするか、またはＵＭＴＳドメイン外部のエンティティからの動的アドレスを必要とするかを識別する。
（２）ＣＯＡのタイプ：このフィールドは、モバイル端末が、同じ場所に位置するＣＯＡを使用するか、またはＦＡを使用するかを識別し、ＣＯＡフィールド内のアドレスは、このフィールドの設定に依存する。
（３）ホーム・アドレス：モバイルが、静的ホーム・アドレスを有するように構成されている場合、このフィールドは、そのアドレスを識別する。モバイルが、静的に構成されたホーム・アドレスを有していない場合、このフィールドは省略される。
（４）ホーム・エージェント：モバイルが、自らのホーム・アドレスを有するように静的に構成されている場合、このフィールドは、そのアドレスを識別する。それ以外の場合、このフィールドは省略される。
（５）前回使用したＣＯＡ：このフィールドは、存在する場合、モバイルが前回使用したＣＯＡを含む。それ以外の場合、このフィールドは省略される。付加されたＩＰフィールドを有する「登録要求」は、図１のＦＡルータ請願１２と機能的に同様である。
【００２８】
「要求完了」メッセージは、ＩＰの観点からは、ＦＡ公示である。「要求完了」メッセージ内の追加のＩＰフィールドは、以下のとおりである。
（１）ホーム・アドレス：ユーザのホーム・アドレス
（２）タイプ：現在、使用するＣＯＡのタイプ、同じ場所に位置するまたエージェントまたは外部エージェント（ＦＡ）
（３）ＣＯＡ：つまりＣＯＡ
ユーザが、静的アドレスを有しておらず、ＵＭＴＳネットワークが、このユーザに関するホーム・アドレスを入手できなかった場合には、ユーザは、ＩＰレベルの機構を使用してアドレスを入手する必要がある。ただし、ＵＭＴＳネットワークは、ＦＡのアドレスまたは同じ場所に位置するＣＯＡをユーザに発行する。
【００２９】
登録完了メッセージ３２に続き、モバイルは、ＵＭＴＳデータ・チャネルを使用してモバイルＩＰ登録メッセージ３３をＦＡに（または同じ場所に位置するＣＯＡの場合、ＨＡに直接に）送信する。この手続きは、ＩＰ制御メッセージを搬送するためのＵＭＴＳ無線インターフェースを介してデータ・チャネル３４がセットアップされるＩＰレベルで行われる。次に、ＨＡ（またはＦＡ）が、登録応答メッセージ３５を伝送する。
【００３０】
図４は、モバイルＩＰおよびＵＭＴＳを使用するロケーション管理に関する統合された手続きを表す本発明の実施形態を示している。この手続きは、モバイル端末４０が、自らの「ロケーション更新要求」伝送４１に１つまたは複数の追加フィールドも含めることで、従来技術の手続きとは異なっている。これらのフィールドは、以下のとおりである。
（１）ホーム・アドレス：ユーザのホーム・アドレス
（２）タイプ：現在、使用するＣＯＡのタイプ、同じ場所に位置するエージェントまたは外部エージェント（ＦＡ）
（３）ＣＯＡ：つまりＣＯＡ
【００３１】
次に、認証ルーチンが行われ、ＵＭＴＳレベルのロケーション更新がうまく完了した後、ＲＮＣ／ＦＡが、新しいＣＯＡを発行する必要があるかどうかを確認する。ＲＮＣ／ＦＡは、モバイル端末４０によって「ロケーション更新要求」メッセージ４１内で提示された情報のおかげで、この確認を行うことができる。新しいＣＯＡを発行する必要がある場合、新しいＣＯＡが、「ロケーション更新完了」メッセージ４２に付加される。このメッセージ内で必要とされる追加の情報フィールドは、（１）タイプおよび（２）ＣＯＡである。このメッセージは、モバイルＩＰの検出としてＩＰレベルでモバイル端末４０によって使用される。データ・チャネルがセットアップされ、モバイル端末は、自らが何を必要とするか、また新しいＦＡおよびＨＡに登録するのに関して、自らが何かをする必要があるかどうかを判断する。これは、登録要求ステップ４４で行われる。モバイル端末は、新しいＲＮＣ／ＦＡ４６に登録するか、ホーム・エージェント（ＨＡ）４７に登録する。経路最適化が、イネーブルにされる場合には、新しいＦＡは、古いＦＡにいるユーザを再登録することになる。
【００３２】
したがって、本発明の実施形態により、登録中またはＲＮＣ間のロケーション更新中、無線インターフェースを介して伝送しなければならない通知メッセージを削減することができ、そのようなロケーション更新を完了するのに必要とされる遅延を最小限に抑えることができる。したがって、実際、貴重なネットワーク・リソースが節約され、オーバーヘッドが低減される。
【００３３】
本発明の実施形態は、ＩＰサブネットワークにおける変化を検出するため、またＩＰレベルの通知とＵＭＴＳレベルの通知を統合するため、ＵＭＴＳ通知を一般に使用する。本発明は、説明した２つの特定のシナリオ（ユーザ登録およびロケーション管理）よりも広い用途を有することが可能であり、ＩＰ通知が必要とされる他のシナリオに適用してもよい。
【００３４】
前述した理由で、モバイルＩＰ情報がＵＭＴＳシグナリング中に送信される。
【図面の簡単な説明】
【図１】  従来技術によるＵＭＴＳ登録手続きおよびＩＰ登録手続きを示す図である。
【図２】  従来技術によるＵＭＴＳロケーション更新手続きおよびＩＰロケーション更新手続きを示す図である。
【図３】  本発明による統合された登録手続きを示す図である。
【図４】  本発明による統合されたロケーション更新手続きを示す図である。
【図１】
0004615171.tif 000002
【図２】
0004615171.tif 000003
【図３】
0004615171.tif 000004
【図４】
0004615171.tif 000005